(57)【特許請求の範囲】
【請求項１】
燃料の供給量を調節する燃料供給制御弁を備え、制御手段によって前記燃料供給制御弁が制御されて燃焼量が調節されると共に、強制的に燃料供給制御弁を開方向に作動させて能力大燃焼を行うスイッチを備えた給湯器において、
タイマー手段と燃焼時間積算手段とを有し、
前記タイマー手段は、電源投入直後、又はタイマリセット後から計時を開始し、
前記燃焼時間積算手段は、給湯器の設置時、又は電源の供給が停止した後に電源を再投入したときから積算を開始し、
タイマー手段が計時を開始してから一定時間が経過するまでの間であって、且つ前記燃焼時間積算手段が積算した積算燃焼時間が一定時間以内である間だけ前記スイッチが機能することを特徴とする給湯器。
【請求項２】
燃料の供給量を調節する燃料供給制御弁を備え、制御手段によって前記燃料供給制御弁が制御されて燃焼量が調節されると共に、強制的に燃料供給制御弁を開方向に作動させて能力大燃焼を行うスイッチを備えた給湯器において、
燃焼時間積算手段を有し、前記燃焼時間積算手段は、給湯器の設置時、又は電源の供給が停止した後に電源を再投入したときから積算を開始し、
積算燃焼時間が一定時間以内である間だけ前記スイッチが機能することを特徴とする給湯器。
【請求項３】
燃料の供給量を調節する燃料供給制御弁と、所定の制御値を演算する演算手段を備え、当該制御値に基づいて燃料供給制御弁が制御されて燃焼量が調節される給湯器であって、前記燃料供給制御弁を介して供給する燃料の最大量に対応する最大制御値と、燃料の最小量に対応する最小制御値を設定する限界制御値設定手段を有し、前記限界制御値設定手段は、最大制御値を決定する最大値調節手段と、最小制御値を決定する最小値調節手段と、最大値調節用スイッチと、最小値調節用スイッチ及び記憶装置を備え、最大値調節用スイッチがオンの時に最大値調節手段が動作して最大制御値に対応するデータが記憶装置に記憶され、最小値調節用スイッチがオンの時に最小値調節手段が動作して最小制御値に対応するデータが記憶装置に記憶される給湯器において、
タイマー手段と燃焼時間積算手段とを有し、
前記タイマー手段は、電源投入直後、又はタイマリセット後から計時を開始し、
前記燃焼時間積算手段は、給湯器の設置時、又は電源の供給が停止した後に電源を再投入したときから積算を開始し、
前記タイマー手段が計時を開始してから一定時間が経過するまでの間であって、且つ積算燃焼時間が一定時間以内である間だけ前記限界制御値設定手段が動作することを特徴とする給湯器。
【請求項４】
燃料の供給量を調節する燃料供給制御弁と、所定の制御値を演算する演算手段を備え、当該制御値に基づいて燃料供給制御弁が制御されて燃焼量が調節される給湯器であって、前記燃料供給制御弁を介して供給する燃料の最大量に対応する最大制御値と、燃料の最小量に対応する最小制御値を設定する限界制御値設定手段を有し、前記限界制御値設定手段は、最大制御値を決定する最大値調節手段と、最小制御値を決定する最小値調節手段と、最大値調節用スイッチと、最小値調節用スイッチ及び記憶装置を備え、最大値調節用スイッチがオンの時に最大値調節手段が動作して最大制御値に対応するデータが記憶装置に記憶され、最小値調節用スイッチがオンの時に最小値調節手段が動作して最小制御値に対応するデータが記憶装置に記憶される給湯器において、
燃焼時間積算手段を有し、前記燃焼時間積算手段は、給湯器の設置時、又は電源の供給が停止した後に電源を再投入したときから積算を開始し、
積算燃焼時間が一定時間以内である間だけ前記限界制御値設定手段が動作することを特徴とする給湯器。
【発明の詳細な説明】
【０００１】
【発明の属する技術分野】
本発明は、給湯器に関するものであり、特に比例制御弁等の燃料供給制御弁を有し、当該燃料供給制御弁を調節する際の制御値を設定する機能を持つ給湯器に関するものである。
【０００２】
給湯器の基本構成は、バーナと熱交換器からなり、バーナでガス等の燃料を燃焼させ、熱交換器を加熱して湯を得るものであるが、近年では、燃料供給経路中に比例制御弁等の燃料供給制御弁を配し、出湯温度が所定の温度となる様にマイクロコンピュータ等によって燃料供給制御弁を制御するものが多い。
ところでこの種の給湯器では、工場からの出荷時に一応の調整をするものの、設置位置におけるガス供給源の圧力等に応じて、設置後に制御値の設定を行う必要がある。具体的には、燃料供給制御弁を介して供給する燃料の最大量に対応する最大制御値と、燃料の最小量に対応する最小制御値を設置現場で設定する。
そのため給湯器には、これらを設定するための可変抵抗が設けられている。またこの可変抵抗は、調整時にだけ使用するものであり、調整後に設定値が変化することは好ましくないので、所定のスイッチをオンしなければ設定値が変化しない構造となっている。以下、従来技術の給湯器について説明する。
【０００３】
図５は、従来技術の給湯器のブロック図である。図６は、従来技術及び本発明で採用するマイクロコンピュータの機能ブロック図である。図７は、従来技術の給湯器の限界制御値設定の際のフローチャート図である。図８は、従来技術及び本発明で採用する最大制御値の設定の際のフローチャート図である。図９は、従来技術及び本発明で採用する最小制御値の設定の際のフローチャート図である。
従来技術を含む、近年の給湯器は、マイクロコンピュータ１０によって制御される。そしてマイクロコンピュータ１０の出力側には、マイクロコンピュータ１０から出力されるＰＷＭパルスを平滑化する平滑回路１１が接続されている。またさらに平滑回路１１は、加減算回路１２に接続されていて、平滑回路１１によって平滑化された電圧が電流制御のための電圧に変換される。また加減算回路１２の出力側は、電流制御回路１３を介して比例弁等の燃料供給制御弁９に接続されている。
【０００４】
一方マイクロコンピュータ１０の入力側には、最大値調整可変抵抗器１４、最小値調整可変抵抗器１５、最大値調整用スイッチ（図面では能力大ＳＷと略称）１６及び最小値調整用スイッチ１７（図面では能力小ＳＷと略称）が接続されている。
ここで最大値調整可変抵抗器１４は、燃料供給量最大に対応する燃料供給制御弁電流を調整するための制御値、即ち最大制御値を決定するものであり、図示しない摘まみを操作して抵抗値を変化させる。また最小値調整可変抵抗器１５は、燃料供給量最小に対応する燃料供給制御弁電流を調整するための制御値、即ち最小制御値を決定するものであり、最大値調整可変抵抗器１４と同様に図示しない摘まみを操作して抵抗値を変化させる。
最大値調整用スイッチ１６は、最大制御値を設定する際に操作するものであり、最大値調整用スイッチ１６がオンの時のみ最大値調整可変抵抗器１４の両端に発生する電圧が、設定電圧Ｖ1 としてマイクロコンピュータ１０に読み込まれる。また同じく最小値調節用スイッチ１７は、最小制御値を設定する際に操作するものであり、最小値調整用スイッチ１７がオンの時のみ最小値調整可変抵抗器１５の両端に発生する電圧が設定電圧Ｖ2 としてマイクロコンピュータ１０に読み込まれる。
【０００５】
１８はEEPROM等の外部メモリー（記憶装置）である。
【０００６】
マイクロコンピュータ１０は、ソフトウェア及びハードウェア等の機能上、図６に示すように、ガス量データ部２１、Ａ／Ｄ変換部２２、最小出力電圧データ部２３、最大出力電圧データ部２４、出力電圧演算部２５、ＰＷＭ変換部２６を有する。ここでガス量データ部２１は計算上の最大ガス量ＧMAX と、計算上の最小ガス量ＧMIN 及びガス制御結果のガス量Ｇを出力する。即ち、前記した最大値調整用スイッチ１６がオンの時は、ガス量データ部２１は「Ｇ＝ＧMAX 」を出力し、最小値調整用スイッチ１７がオンの時は「Ｇ＝ＧMIN 」を出力し、これらの信号を出力電圧演算部２５に送る。
【０００７】
またＡ／Ｄ変換部２２は、最大値調整可変抵抗器１４及び最小値調整可変抵抗器１５からのアナログデータである最大値設定電圧値Ｖ1 と最小値設定電圧値Ｖ2 を、デジタル信号の最大値設定値Ｋ1 及び最小値設定値Ｋ2 に変換するものである。このデジタル最大値設定値Ｋ1 及びデジタル最小値設定値Ｋ2 は、後記する様に外部メモリー１８に記憶される。
【０００８】
そして前記した最大値調整用スイッチ１６又は最小値調整用スイッチ１７がオンされている時は、最大値調整可変抵抗器１４または最小値調整可変抵抗器１５からのデータＶ1 、Ｖ2 によりＫ1 、Ｋ2 を得る。またさらに最大出力電圧データ部２４で次の（式１）に基づく演算が行われ、最小出力電圧データ部２３で同じく（式２）に基づく演算が行われて、最大出力電圧値ＶMAX と最小出力値ＶMIN が算出される。なお次式の中で、ＶMAXO、ＶMINOは初期出力電圧を表す。
【０００９】
【数１】
0003692719.tif 000002
【００１０】
【数２】
0003692719.tif 000003
【００１１】
また出力電圧演算部２５では、最大出力電圧値ＶMAX と最小出力値ＶMIN から次式に基づく演算が行われる。
【００１２】
【数３】
0003692719.tif 000004
【００１３】
またさらに、ＰＷＭ変換部２６で、出力電圧値Ｖから次式に基づく演算が行われ、出力電圧値Ｖに対応した、周期Ｔでオン時間がｔMAX 、ｔMIN のＰＷＭパルスに変換され、このパルスがマイクロコンピュータ１０から平滑回路１１に出力される。そして加減算回路１２、電流制御回路１３を経て、燃料供給制御弁９を動作させる。
【００１４】
【数４】
0003692719.tif 000005
【００１５】
図７のフローチャート図に従って、従来技術の最大ガス供給量及び最小ガス供給量の調整を再度説明すると、初期のステップ１及び２で、最大値調整用スイッチ（図面では能力大ＳＷと略称）１６又は最小値調整用スイッチ（図面では能力小ＳＷと略称）１７のいずれかがオンされているか否かが確認される。即ちステップ１で最大値調整用スイッチ１６がオンされているか否かが確認され、最大値調節用スイッチ１６がオンであるならばステップ３に移行して能力大燃焼が行われ、さらにステップ４で最大制御値の設定が行われる。一方、ステップ１で最大値調整用スイッチ１６がオンされていないことが分かれば、ステップ２に移行し、最小値調整用スイッチ１７がオンであるか否かが確認される。そして最小値調整用スイッチ１７がオンであるならば、ステップ５に移行し、能力小燃焼が行われ、さらにステップ６で最小制御値の設定が行われる。
一方、ステップ１，２で、最大値調整用スイッチ１６又は最小値調整用スイッチ１７のいずれもがオンでないことが確認されれば、ステップ７に移行し、通常の制御が行われて燃料供給制御弁９の開度が調整される。
【００１６】
前記したステップ４での最大制御値の設定は、具体的には図８の制御フローによって行われる。即ちステップ１で最大値調整用スイッチ１６がオンであることが確認されると、最大制御値を設定するプログラムに移行し、前記した様にステップ３が実行されて能力大燃焼が行われ、さらにステップ４に移行して最大制御値の設定が行われる。ステップ４では、最大値調整可変抵抗器１４による設定電圧Ｖ1 をマイクロコンピュータ１０に読み込み、Ａ／Ｄ変換する（ステップ５０）。そしてこれをデジタル最大値設定値Ｋ1 とする（ステップ５１）。さらにこのＫ1 を用いて前記した（式１）に基づいて最大出力電圧値ＶMAX を演算する（ステップ５２）。次にステップ５３でガス量データ部２１からＧ＝ＧMAX を出力させる。さらにステップ５４で次の（式５）の演算を行う。
【００１７】
【数５】
0003692719.tif 000006
【００１８】
またステップ５５で前述した（式４）の演算を行い、オン時間ｔ、周期ＴのＰＷＭパルスを得る。
【００１９】
そして前記したデジタル最大値設定値Ｋ1 を外部メモリー１８に転送して記憶させる（ステップ５６）。
【００２０】
同様に、ステップ２で最小値調整用スイッチ１７がオンであることが確認されると、ステップ５に移行して能力小燃焼が行われ、さらにステップ６に移行して最小制御値の設定が行われる。ステップ６の内容は、図９の通りである。ステップ６で行われる最小制御値の設定は、前記した最大制御値の設定と略同一であり、設定電圧Ｖ2 をマイクロコンピュータ１０に読み込み、Ａ／Ｄ変換し（ステップ６０）、これをデジタル最小値設定値Ｋ2 とする（ステップ６１）。そしてこのＫ2 を用いて前記した（式２）によって最小出力電圧値ＶMIN を演算する（ステップ６２）。
【００２１】
続いてガス量データ部２１からＧ＝ＧMIN を出力し（ステップ６３）、前記したステップ５４，５５を経てオン時間ｔ、周期ＴのＰＷＭパルスを得る。そして前記デジタル最小値設定値Ｋ2 を外部メモリー１８に転送して記憶させる（ステップ５６）。
【００２２】
なお、前記したプログラムの内、ステップ５４，５５は、調整時以外の運転時における燃料供給制御弁９の制御値を演算するステップであり、前記した制御プログラムは、通常運転の際の制御プログラムに、限界制御値設定を設定するステップを挿入したものであると言える。即ち調整時以外の通常運転を行う場合には、外部メモリー１８に記憶されたデジタル最大値設定値Ｋ1 とデジタル最小値設定値Ｋ2 とを呼び出し、これから最大出力電圧値ＶMAX と最小出力電圧値ＶMIN を演算し（ステップ５２とステップ６２）、またガス量データ部２１からＧを読み出して、ステップ５４で必要出力電圧値Ｖを演算し、さらにステップ５５でＰＷＭパルスとして出力する。
【００２３】
【発明が解決しようとする課題】
従来技術の給湯器は、上記した様に、最大値調整用スイッチ１６又は最小値調整用スイッチ１７を操作しなければ、限界制御値の設定を行うことができないので、単に最大値調整可変抵抗器１４等に触れただけでは限界制御値は変わらず、給湯器の燃焼は安定する。
しかしながら、従来技術の給湯器は、最大値調整用スイッチ１６又は最小値調整用スイッチ１７がオンとなれば、いつでも限界制御値設定のためのステップに移行してしまうために、時に危険を生じることがある。
即ち限界制御値設定は、一度設定すれば無闇に変更する必要は無いが、使用者が誤って最大値調整用スイッチ１６又は最小値調整用スイッチ１７を押してしまうことがある。従来技術の給湯器では、最大値調整用スイッチ１６を押すと、強制的に能力大燃焼が行われるので、使用者の意思に反して高温の湯が出湯されてしまう。また長期の使用によって、最大値調整用スイッチ１６の接点がショートした場合にも同様の事態となり、不意に能力大燃焼が行われて使用者の意思に反して高温の湯が出湯され、火傷を負う可能性がある。
【００２４】
そこで本発明は、従来技術の上記した問題点に注目し、従来技術を改良し、給湯器の安全性をさらに向上させることを課題とする。
【００２５】
【課題を解決するための手段】
そして上記した課題を解決するための請求項１記載の発明は、燃料の供給量を調節する燃料供給制御弁を備え、制御手段によって前記燃料供給制御弁が制御されて燃焼量が調節されると共に、強制的に燃料供給制御弁を開方向に作動させて能力大燃焼を行うスイッチを備えた給湯器において、タイマー手段と燃焼時間積算手段とを有し、前記タイマー手段は、電源投入直後、又はタイマリセット後から計時を開始し、前記燃焼時間積算手段は、給湯器の設置時、又は電源の供給が停止した後に電源を再投入したときから積算を開始し、タイマー手段が計時を開始してから一定時間が経過するまでの間であって、且つ前記燃焼時間積算手段が積算した積算燃焼時間が一定時間以内である間だけ前記スイッチが機能することを特徴とする給湯器である。
【００２６】
本発明の給湯器は、普段の使用時に強制的な能力大燃焼を行うことは稀であることから、能力大燃焼に移行させるスイッチが機能する時間を限定し、それ以外は、例えスイッチを操作しても能力大燃焼にはならない様にしたものである。
【００２７】
本発明の給湯器は、さらに燃焼時間積算手段を備え、タイマ手段が計時を開始してから一定時間が経過するまでの間であって、且つ燃焼時間の積算が一定時間以内である間だけスイッチが機能する構成としたものである。本発明は、限界制御値の設定は主に設置直後に行われるものであるという経験則に基づくものである。即ち限界制御値の設定は、主に設置時に行われるものであるから、一旦安定した使用状態となった後に強制的な能力大燃焼を行うことは稀である。そこで本発明は、時間の経過に加えて、燃焼の積算時間を加味したものである。
【００２８】
また同様の目的を達成するための請求項２に記載の発明は、燃料の供給量を調節する燃料供給制御弁を備え、制御手段によって前記燃料供給制御弁が制御されて燃焼量が調節されると共に、強制的に燃料供給制御弁を開方向に作動させて能力大燃焼を行うスイッチを備えた給湯器において、燃焼時間積算手段を有し、前記燃焼時間積算手段は、給湯器の設置時、又は電源の供給が停止した後に電源を再投入したときから積算を開始し、積算燃焼時間が一定時間以内である間だけ前記スイッチが機能することを特徴とする給湯器である。
【００２９】
本発明の給湯器は、燃焼時間の積算が一定時間以内である間だけスイッチが機能する構成とし、それ以外は、例えスイッチを操作しても能力大燃焼にはならない様にしたものである。
【００３０】
また同様の目的を達成するための請求項３に記載の発明は、燃料の供給量を調節する燃料供給制御弁と、所定の制御値を演算する演算手段を備え、当該制御値に基づいて燃料供給制御弁が制御されて燃焼量が調節される給湯器であって、前記燃料供給制御弁を介して供給する燃料の最大量に対応する最大制御値と、燃料の最小量に対応する最小制御値を設定する限界制御値設定手段を有し、前記限界制御値設定手段は、最大制御値を決定する最大値調節手段と、最小制御値を決定する最小値調節手段と、最大値調節用スイッチと、最小値調節用スイッチ及び記憶装置を備え、最大値調節用スイッチがオンの時に最大値調節手段が動作して最大制御値に対応するデータが記憶装置に記憶され、最小値調節用スイッチがオンの時に最小値調節手段が動作して最小制御値に対応するデータが記憶装置に記憶される給湯器において、タイマー手段と燃焼時間積算手段とを有し、前記タイマー手段は、電源投入直後、又はタイマリセット後から計時を開始し、前記燃焼時間積算手段は、給湯器の設置時、又は電源の供給が停止した後に電源を再投入したときから積算を開始し、前記タイマー手段が計時を開始してから一定時間が経過するまでの間であって、且つ積算燃焼時間が一定時間以内である間だけ前記限界制御値設定手段が動作することを特徴とする給湯器である。
【００３１】
本発明の給湯器は、限界制御値の設定をタイマー手段が計時を開始してから一定時間が経過するまでの間だけ可能としたものである。
【００３２】
また、本発明は、時間の経過に加えて、燃焼時間の積時間を加味し、より安全性の向上を図ったものである。
【００３３】
さらに同様の目的を達成するための請求項４記載の発明は、燃料の供給量を調節する燃料供給制御弁と、所定の制御値を演算する演算手段を備え、当該制御値に基づいて燃料供給制御弁が制御されて燃焼量が調節される給湯器であって、前記燃料供給制御弁を介して供給する燃料の最大量に対応する最大制御値と、燃料の最小量に対応する最小制御値を設定する限界制御値設定手段を有し、前記限界制御値設定手段は、最大制御値を決定する最大値調節手段と、最小制御値を決定する最小値調節手段と、最大値調節用スイッチと、最小値調節用スイッチ及び記憶装置を備え、最大値調節用スイッチがオンの時に最大値調節手段が動作して最大制御値に対応するデータが記憶装置に記憶され、最小値調節用スイッチがオンの時に最小値調節手段が動作して最小制御値に対応するデータが記憶装置に記憶される給湯器において、燃焼時間積算手段を有し、前記燃焼時間積算手段は、給湯器の設置時、又は電源の供給が停止した後に電源を再投入したときから積算を開始し、積算燃焼時間が一定時間以内である間だけ前記限界制御値設定手段が動作することを特徴とする給湯器である。
【００３４】
本発明の給湯器は、限界制御値の設定を、積算燃焼時間が一定時間以内である場合に限って可能としたものである。
【００３５】
【発明の実施の形態】
以下さらに本発明の実施形態について説明する。なお以下の実施形態において、従来技術と同一の部材や同一の機能を行うステップには、同一の番号を付して重複した説明を省略する。
【００３６】
図１は、本発明の給湯器のブロック図である。図２は、本発明の給湯器の限界制御値設定の際のフローチャート図である。図３、図４は、本発明の他の実施形態の限界制御値設定の際のフローチャート図である。
本発明の給湯器の各機器の構成は、従来技術と全く同一である。ただしマイクロコンピュータ１０内のタイマーの内、一つが電源投入からの時間を図示するタイマーとして機能し、他の一つが燃焼時間を積算するタイマーとして機能する。
【００３７】
本実施形態の給湯器の制御のフローは、従来技術のそれと略同様であるが、特徴的な制御として、電源投入からの時間が所定時間を経過すると、例え限界制御値を設定する要求を受けてもこれをキャンセルしてしまうステップと、燃焼積算時間が所定時間を越えると、例え限界制御値を設定する要求を受けてもこれをキャンセルしてしまうステップとを有する。
【００３８】
順次説明すると、本発明の給湯器では、電源投入直後にタイマーが計時を開始する（ステップＡ）。そしてステップＢでタイマーが所定の時間を経過したか否かを調べる。
ここで所定の時間とは、１０分から２０分程度の時間である。
ステップＢでタイマが所定の時間が経過したことが判明すれば、例え最大値調整用スイッチ１６等が押されても、それは使用者の誤使用である場合が多い。そこで、最大値調整用スイッチ１６等の信号を受け付けることなく、ステップ８に移行して通常燃焼を行う。従ってステップＢでタイマが所定の時間が経過したことが判明すれば、最大値調整用スイッチ１６及び最小値調整用スイッチ１７は機能せず、能力大燃焼等は行われない。そのため使用者が誤って最大値調整用スイッチ１６等を押しても、意図しない高温湯が出湯されることは無く、安全性が高い。
【００３９】
またステップＢでタイマーが所定の時間を経過していないことが分かれば、ステップＣに移行し、燃焼時間の積算を調べ、当該積算時間が一定時間以下であるか否かを調べる。
ここで上記した一定時間は、１０分から２０分程度の時間である。
【００４０】
ステップＣで燃焼積算時間が一定の時間を越えていることが判明すれば、少なくとも設置からそれだけの時間、給湯が行われたのであるから、制御値を設定する必要性は低い。そのためステップＣでタイマが所定の時間が経過したことが判明すれば、例え最大値調整用スイッチ１６等が押されても、それは使用者の誤操作である場合が多い。そこで、最大値調整用スイッチ１６等の信号を受け付けることなく、ステップ８に移行して通常燃焼を行う。
従ってステップＣで燃焼積算時間が一定時間を越える場合は、最大値調整用スイッチ１６及び最小値調整用スイッチ１７は機能せず、能力大燃焼等は行われない。そのため使用者が誤って最大値調整用スイッチ１６等を押しても、意図しない高温湯が出湯されることは無く、安全性が高い。
【００４１】
またステップＣで燃焼積算時間が一定の時間を越えているものではなければ、ステップ１に移行し、従来技術と同様の工程が行われる。即ち、ステップ１で最大値調整用スイッチ１６がオンであるか否かを確認し、当該スイッチ１６がオンであれば、ステップ３で能力大燃焼を行い、さらにステップ４で最大制御値の設定を行う。ステップ１で最大値調整用スイッチ１６がオンでないならばステップ２に移行し、最小値調整用スイッチ１７がオンであるか否かを確認し、当該スイッチがオンであれば、ステップ５で能力小燃焼を行い、さらにステップ６で最小制御値の設定を行う。また最大値調整用スイッチ１６と最小値調整用スイッチ１７の双方ともがオンでないならばステップ７に移行して通常の燃焼を行う。
【００４２】
ステップ４又はステップ６で制御値の設定が行われた場合は、ステップ９又はステップ１０で前記タイマがリセットされ、タイマーは最初から計時を再開してステップＢに戻り、タイマアップを確認する。この様にステップ９，１０でタイマをリセットする理由は、ステップ９又はステップ１０まで至る場合というのは、給湯器を設置した者が意識的に最大値調整用スイッチ１６等を操作した場合であり、現に限界制御値の設定作業を行っている場合に限られるので、作業終了まで最大値調整用スイッチ１６等を機能させるべきだからである。
なお燃焼積算についてはリセットしない。ただし電源の供給が停止した場合には、燃焼積算もリセットされるので、電源を再投入することにより制御値の再設定をすることが可能である。
【００４３】
以上説明した実施形態では、電源投入からの時間と、燃焼時間の積算とを併用したが、これらのいずれか一方だけを採用しても従来技術に比較して格段の安全性の向上を図ることができる。
【００４４】
図３は、電源投入からの時間だけを採用した給湯器のフローチャートを示すものであり、図４は、燃焼時間の積算だけを採用した給湯器のフローチャートを示すものである。
【００４５】
図３に示す制御フローは、前記した図２のフローチャートからステップＣの工程を省略したものであり、他は全て同一である。また図４に示す制御フローは、前記した図２のフローチャートからステップＡＢの工程を省略したものである。
【００４６】
【発明の効果】
請求項１記載の給湯器は、通常での使用時に強制的な能力大燃焼を行うことは稀であるという経験則を活用し、能力大燃焼に移行させるスイッチが機能する時間を限定し、それ以外は、例えスイッチを操作しても能力大燃焼にはならない様にしたものであるから、使用者が誤ってスイッチを操作しても能力大燃焼となることは無い。そのため本発明の給湯器は安全性が高い効果がある。
【００４７】
また請求項１に記載の給湯器は、タイマー手段が計時を開始してから一定時間が経過するまでの間であって、且つ燃焼時間の積算が一定時間以内である間だけスイッチが機能する構成としたものであるから、安全性が高い効果がある。
【００４８】
請求項２に記載の給湯器は、燃焼時間の積算が一定時間以内である間だけスイッチが機能する構成としたので、使用者が誤ってスイッチを操作しても能力大燃焼となることがなく、安全性が高い効果がある。
【００４９】
請求項３に記載の給湯器は、限界制御値の設定をタイマー手段が計時を開始してから一定時間が経過するまでの間だけ可能としたものであり、安全性が高いばかりでなく、限界制御値が意思に反して変動することがない効果がある。
【００５０】
また請求項３に記載の給湯器は、時間の経過に加えて、燃焼時間の積時間を加味したので、より安全性が高く、また限界制御値が意思に反して変動することがない。
【００５１】
請求項４に記載の給湯器は、給湯器の設置時、又は電源の供給が停止した後に電源を再投入したときから積算を開始し、燃焼時間の積算が一定時間以内である間だけ限界制御値設定手段が動作する構成としたので、安全性が高いばかりでなく、限界制御値が意思に反して変動することがないという優れた効果がある。
【図面の簡単な説明】
【図１】  本発明の給湯器のブロック図である。
【図２】  本発明の給湯器の限界制御値設定の際のフローチャート図である。
【図３】  本発明の他の実施形態の限界制御値設定の際のフローチャート図である。
【図４】  本発明の他の実施形態の限界制御値設定の際のフローチャート図である。
【図５】  従来技術の給湯器のブロック図である。
【図６】  従来技術及び本発明で採用するマイクロコンピュータの機能ブロック図である。
【図７】  従来技術の給湯器の限界制御値設定の際のフローチャート図である。
【図８】  従来技術及び本発明で採用する最大制御値の設定の際のフローチャート図である。
【図９】  従来技術及び本発明で採用する最小制御値の設定の際のフローチャート図である。
【符号の説明】
９  燃料供給制御弁
１０  マイクロコンピュータ
１１  平滑回路
１２  加減算回路
１３  電流制御回路
１４  最大値調整可変抵抗器
１５  最小値調整可変抵抗器
１６  最大値調整用スイッチ
１７  最小値調整用スイッチ
【図１】
0003692719.tif 000007
【図２】
0003692719.tif 000008
【図３】
0003692719.tif 000009
【図４】
0003692719.tif 000010
【図５】
0003692719.tif 000011
【図６】
0003692719.tif 000012
【図７】
0003692719.tif 000013
【図８】
0003692719.tif 000014
【図９】
0003692719.tif 000015